(57)【要約】【課題】金型構造をシンプルにし、製造コストを低減させ、さらに、筆記時に把持した際に、手にクリップが当たりユーザーに違和感を与えるおそれがなく、しかも、クリップの外観や材料を自由に設定可能にする。【解決手段】軸筒２内に３本の筆記体を前後方向に移動可能に収容する。筆記体の後端に操作体を取り付ける。軸筒２の後端部側壁に、操作体が突出する前後方向に延びる３個の窓孔２１を貫設する。軸筒２の後端部側壁の外面を２方向に分割可能な金型Ｂ１，Ｂ２により成形する。一方の金型Ｂ１によって２個の窓孔２１の外側開口縁部２１ａを成形する。他方の金型Ｂ２によって１個の窓孔２１の外側開口縁部２１ａ及び１個のクリップ取付孔２２の外側開口縁部２２ａを成形する。クリップ取付孔２２にクリップの基部を固着する。【選択図】  図３
2005081822.tif 000002
【特許請求の範囲】
【請求項１】
軸筒内に３本の筆記体を前後方向に移動可能に収容し、前記各々の筆記体の後端に操作体を取り付け、前記軸筒の後端部側壁に、クリップを設けるとともに、前記各々の操作体が突出する前後方向に延びる３個の窓孔を貫設し、前記各々の操作体を前方へスライド操作することにより、前記各々の筆記体の先端を軸筒の先端より突出させる複合筆記具であって、前記軸筒の後端部側壁の外面を２方向に分割可能な金型により成形し、その際、前記分割可能な金型の一方の金型によって２個の窓孔の外側開口縁部を成形するとともに、前記分割可能な金型の他方の金型によって１個の窓孔の外側開口縁部及び１個のクリップ取付孔の外側開口縁部を成形し、前記クリップ取付孔にクリップの基部を固着したことを特徴とする複合筆記具。
【請求項２】
前記クリップ取付孔の周方向両側の外側開口縁部を傾斜面状とするとともに、クリップの基部に、前記クリップ取付孔の傾斜面状の外側開口縁部と当接可能な座部を形成した請求項１記載の複合筆記具。
【請求項３】
前記クリップ取付孔の傾斜面状の外側開口縁部のなす角度を９０度以上とする請求項２記載の複合筆記具。
【発明の詳細な説明】
【技術分野】
【０００１】
本発明は、複合筆記具に関する。詳細には、軸筒内に３本の筆記体を前後方向に移動可能に収容した複合筆記具に関する。本発明で「前」とはペン先側を指し、「後」とはその反対側を指す。
【背景技術】
【０００２】
従来、この種の複合筆記具において、特許文献１には、軸筒内に３種類の筆記体が摺動自在に配置され、軸筒には長手方向に３個のスリット（本発明の窓孔）が形成されるとともに、軸筒の側面にクリップが一体形成された構成が開示されている。
【０００３】
しかし、前記特許文献１の構成は、３個のスリットを備える軸筒を成形する場合、通常、スリット部分は径方向の３方向へ分割可能な金型により成形される。そのため、金型構造が複雑となり、製造コストが上昇し、安価に提供することが困難である。
【０００４】
また、特許文献２には、軸筒内に４本の筆記体（３本のボールペン芯と１本のシャープペンシル中具）が収容され、軸筒に縦長の４個の窓孔（本発明の窓孔）が形成されるとともに、窓孔から作動子（本発明の操作体）と一体となったクリップが突出された構成が開示されている。
【０００５】
しかし、前記特許文献２の構成は、クリップ付き作動子を有する筆記体の先端を軸筒の先端開口より突出させた場合、クリップも前方に移動する。そのため、筆記時に把持した際に、手にクリップが当たりユーザーに違和感を与えるおそれがある。
【０００６】
また、前記特許文献１及び特許文献２の構成は、クリップが軸筒や操作体と一体に形成されており、クリップが軸筒や操作体と独立した部材（別部材）により設けられていないため、クリップの外観や材料を自由に設定できない。
【特許文献１】特開平１１−２０３８０号公報
【特許文献２】実用新案登録第２５１１７４２号公報
【発明の開示】
【発明が解決しようとする課題】
【０００７】
本発明は前記従来の問題点を解決するものであって、金型構造をシンプルにし、製造コストを低減させ、さらに、筆記時に把持した際に、手にクリップが当たりユーザーに違和感を与えるおそれがなく、しかも、クリップの外観や材料を自由に設定できる複合筆記具を提供しようとするものである。
【課題を解決するための手段】
【０００８】
〔１〕本発明は、軸筒２内に３本の筆記体３を前後方向に移動可能に収容し、前記各々の筆記体３の後端に操作体４を取り付け、前記軸筒２の後端部側壁に、クリップ５を設けるとともに、前記各々の操作体４が突出する前後方向に延びる３個の窓孔２１を貫設し、前記各々の操作体４を前方へスライド操作することにより、前記各々の筆記体３の先端を軸筒２の先端より突出させる複合筆記具１であって、前記軸筒２の後端部側壁の外面を２方向に分割可能な金型Ｂ１，Ｂ２により成形し、その際、前記分割可能な金型の一方の金型Ｂ１によって２個の窓孔２１の外側開口縁部２１ａを成形するとともに、前記分割可能な金型の他方の金型Ｂ２によって１個の窓孔２１の外側開口縁部２１ａ及び１個のクリップ取付孔２２の外側開口縁部２２ａを成形し、前記クリップ取付孔２２にクリップ５の基部５３を固着したこと（請求項１）を要件とする。
【０００９】
前記請求項１の複合筆記具１は、３個の窓孔２１及び１個のクリップ取付孔２２の計４個の孔を有する軸筒２の後端部側壁を、径方向の２方向へ分割可能な金型Ｂ１，Ｂ２により成形することにより、金型構造がシンプルになり、製造コストを低減できる。さらに、前記請求項１の複合筆記具１は、クリップ５の基部５３をクリップ取付孔２２に固着したことにより、クリップ５が前後に移動しないため、筆記時に軸筒２を把持した際に、手にクリップ５が当たることを回避し、ユーザーに違和感を与えるおそれがない。しかも、前記請求項１の複合筆記具１は、クリップ５を、軸筒２及び操作体４とは別部材から構成でき、クリップ５の外観や材料を自由に設定することが可能となる。
【００１０】
〔２〕前記請求項１の複合筆記具１において、クリップ取付孔２２の周方向両側の外側開口縁部２２ａを傾斜面状とするとともに、クリップ５の基部５３に、前記クリップ取付孔２２の傾斜面状の外側開口縁部２２ａと当接可能な座部５３ａを形成したこと（請求項２）が好ましい。
【００１１】
前記請求項２の複合筆記具１は、クリップ取付孔２２の周方向両側の外側開口縁部２２ａを傾斜面状とすることにより、クリップ取付孔２２の周方向両側の外側開口縁部２２ａにアンダーカットが生じることを回避でき、金型の離型が容易となる。さらに、前記請求項２の複合筆記具１は、クリップ５の基部５３をクリップ取付孔２２に固着した際、前記クリップ取付孔２２の傾斜面状の外側開口縁部２２ａに前記クリップ５の基部５３の座部５３ａを当接させることにより、クリップ取り付けの際、クリップ５の基部５３をクリップ取付孔２２内に過剰に没入させることを回避し、組立不良の発生を防止できる。
【００１２】
〔３〕前記請求項２の複合筆記具１において、クリップ取付孔２２の傾斜面状の外側開口縁部２２ａのなす角度αを９０度以上とすること（請求項３）が好ましい。
【００１３】
前記請求項３の複合筆記具１は、クリップ取付孔２２の傾斜面状の外側開口縁部２２ａのなす角度αを９０度以上とすることにより、クリップ取付孔２２の開口縁部にアンダーカットが生じることを確実に回避でき、より一層、金型の離型が容易となる。さらに、前記請求項３の複合筆記具１は、クリップ取付孔２２の傾斜面状の外側開口縁部２２ａのなす角度αを９０度以上とすることにより、クリップ取付孔２２の横断面形状が、対向する開口縁部の傾斜角度が等しい対称形状となり、クリップ５の安定した取り付けが可能となるとともに、クリップ５の基部５３の座部５３ａがクリップ取付孔２２の傾斜面状の外側開口縁部２２ａに、一層、安定して支持され、クリップ５の基部５３がクリップ取付孔２２内に過剰に没入されることを、一層回避できる。
【００１４】
もし、前記外側開口縁部２２ａのなす角度αが９０度より小さい場合、前記外側開口縁部２２ａにアンダーカットが生じ、金型の離型が困難となったり、クリップ取付孔２２の横断面形状が、対向する外側開口縁部２２ａの傾斜角度が異なる非対称な形状となり、クリップ５の取り付けが不安定となるおそれがある。
【発明の効果】
【００１５】
請求項１により、金型構造をシンプルにし、製造コストを低減させ、さらに、筆記時に軸筒を把持した際に、手にクリップが当たりユーザーに違和感を与えるおそれがなく、しかも、クリップの外観や材料を自由に設定できる。
【００１６】
請求項２により、金型の離型が容易となり、さらに、クリップ取り付けの際、クリップの基部をクリップ取付孔に過剰に没入させることを回避し、組立不良の発生を防止できる。
【００１７】
請求項３により、より一層、金型の離型が容易となり、さらに、クリップの安定した取り付けが可能となるとともに、クリップの基部がクリップ取付孔に過剰に没入されることを、一層回避できる。
【発明を実施するための最良の形態】
【００１８】
本発明を実施するための最良の形態を、以下、図面に従って説明する。
【実施例】
【００１９】
図１乃至図３に、本発明の一実施例を示す。本実施例の複合筆記具１は、軸筒２内に３本の筆記体３（例えば、ボールペン、シャープペンシル等）が前後方向に移動可能に収容されている。前記各々の筆記体３の後端には操作体４が取り付けられる。前記筆記体３はコイルスプリング６により後方へ付勢されている。前記操作体４をコイルスプリング６の後方付勢に抗して前方へスライド操作することにより、筆記体３の先端が軸筒２の先端より突出される。
【００２０】
前記軸筒２の後端部側壁には、３個の窓孔２１と１個のクリップ取付孔２２の計４個の孔が周方向９０度の間隔をおいて径方向に貫設されている。前記軸筒２は合成樹脂の射出成形により得られる円筒体である。前記軸筒２の後端部側壁の外面は、図３に示すように、径方向の２方向に分割可能な金型Ｂ１，Ｂ２（キャビティ）により成形される。その際、前記分割可能な金型の一方の金型Ｂ２により、１個のクリップ取付孔２２の外側開口縁部２２ａと１個の窓孔２１の外側開口縁部２１ａが成形されるとともに、前記分割可能な金型の他方の金型Ｂ１により、２個の窓孔２１の外側開口縁部２１ａが成形される。また、図３において軸筒２の後端部側壁の内面（窓孔２１内面及びクリップ取付孔２２内面を含む）は、軸筒２と前後方向に離型されるコアピンＣにより成形される。
【００２１】
前記クリップ取付孔２２は、前後方向に延びる長孔形状を有する。前記クリップ取付孔２２の周方向両側の外側開口縁部２２ａは、径方向外方に向かうに従い、対向する外側開口縁部２２ａ間の幅寸法が大きくなる傾斜面状に形成される。前記傾斜面状の外側開口縁部２２ａのなす角度αは９０度以上（例えば１２０度）に設定される。一方、クリップ取付孔２２の周方向両側の内側開口縁部２２ｂは、直角の角部となっている。
【００２２】
前記窓孔２１は、前後方向に延びる長孔形状を有する。前記窓孔２１から、筆記体３の後端に取り付けられた各々の操作体４の操作部が前後方向に摺動可能に外部に突出される。前記窓孔２１の周方向両側の外側開口縁部２１ａは、径方向外方に向かうに従い、対向する外側開口縁部２１ａ間の幅寸法が大きくなる傾斜面状に形成される。それにより、窓孔２１の周方向両側の外側開口縁部２１ａにアンダーカットが生じることを回避でき、金型の離型が容易となる。さらに、前記窓孔２１の傾斜面状の外側開口縁部２１ａのなす角度は９０度以上に設定され、それにより、より一層、金型の離型が容易となる。
【００２３】
前記クリップ５は、合成樹脂の射出成形より得られ、前後方向に延びるクリップ本体５１と、該クリップ本体５１の前端部内面より突出する玉部５２と、該クリップ本体５１の後端部内面より突出する基部５３とからなる。前記クリップ５の基部５３は、前記クリップ取付孔２２に、軸筒２の後端部側壁の外側より挿着される。
【００２４】
図１に示すように、前記クリップ５の基部５３の前面は、前後方向に弾性変形可能な係止片５３ｃと、該係止片５３ｃの前面に形成した突起５３ｄとを備える。同様に、前記クリップ５の基部５３の後面も、前後方向に弾性変形可能な係止片５３ｅと、該係止片５３ｅの後面に形成した突起５３ｆとを備える。クリップ５の基部５３をクリップ取付孔２２に挿着した際、前記基部５３の前面の係止片５３ｃの突起５３ｄ及び後面の係止片５３ｅの突起５３ｆが、クリップ取付孔２２の前後の内側開口縁部２２ｂに乗り越え係止される。
【００２５】
図２に示すように、前記クリップ５の基部５３の両側面には、前後方向に延びる一対のリブよりなる座部５３ａと、一対の係止突部５３ｂとが一体に突出形成される。前記クリップ５は、合成樹脂の射出成形体であるため、基部５３の外面に、容易に座部５３ａや係止突部５３ｂを形成することができる。前記クリップ５の基部５３をクリップ取付孔２２に挿着した際、前記座部５３ａが、クリップ取付孔２２の傾斜面状の外側開口縁部２２ａと当接し、前記係止突部５３ｂが、クリップ取付孔２２の直角の角部よりなる周方向両側の内側開口縁部２２ｂと乗り越え係止する。
【図面の簡単な説明】
【００２６】
【図１】本発明の一実施例を示す要部縦断面図である。
【図２】図１のＡ−Ａ線断面図である。
【図３】軸筒の後端部を成形する金型を示す横断面図である。
【符号の説明】
【００２７】
１  複合筆記具
２  軸筒
２１  窓孔
２１ａ  外側開口縁部
２２  クリップ取付孔
２２ａ  外側開口縁部
２２ｂ  内側開口縁部
３  筆記体
４  操作体
５  クリップ
５１  クリップ本体
５２  玉部
５３  基部
５３ａ  座部
５３ｂ  係止突部
５３ｃ  係止片
５３ｄ  突起
５３ｅ  係止片
５３ｆ  突起
６  コイルスプリング
α  クリップ取付孔の傾斜面状の外側開口縁部のなす角度
Ｂ１  金型（キャビティ）
Ｂ２  金型（キャビティ）
Ｃ  コアピン
【図１】
2005081822.tif 000003
【図２】
2005081822.tif 000004
【図３】
2005081822.tif 000005